(57)【要約】【課題】  ラス網等を止着するステープルであって、その両脚部を木材内で湾曲することができ、その際に頂部両端に座屈が生じないものを提供すること。【解決手段】  脚部２，３の下端部に湾曲部６，７または曲折部を形成するとともに、その先端４，５位置を脚部２，３の後端部外周の延長線上と内周の延長線上との範囲内にする。【選択図】        図１
2007064420.tif 000002
【特許請求の範囲】
【請求項１】
水平な頂部(1) の両端に直角に折り曲げられた一対の脚部(2) (3) を有するコ字状のステープルにおいて、
前記一対の脚部(2) (3) の先端部に、互いに対称形に湾曲形成された湾曲部(6) (7) を有し、
前記一対の湾曲部(6) (7) の先端(4) (5) が、その脚部(2) (3) の後端部の外側面および内側面の各延長線上の間以内に位置することを特徴とするステープル。
【請求項２】
請求項１において、
前記一対の脚(2) (3) の先端部に、それが外側に凸湾曲した外側湾曲部(6a)(7a)を有することを特徴とするステープル。
【請求項３】
請求項１において、
前記一対の脚(2) (3) の先端部に、それが内側に凸湾曲した内側湾曲部(6b)(7b)を有することを特徴とすることを特徴とするステープル。
【請求項４】
請求項１において、
ステープルは、夫々コ字状に形成された内側材(8) の外周に、外側材(9) が被嵌されてなり、
外側材(9) は、その内周が内側材(8) の外周に整合すると共に、その一対の脚部(2a)(3a)が前記内側材(8) の脚部(2b)(3b)より長く形成され、その先端部が内側材(8) の先端より突出して、一対の外側突出部(10)(11)を構成し、
その外側突出部(10)(11)が内側に曲折されて一対の外側湾曲部(6a)(7a)を構成し、その先端(4) (5) が内側材(8) の内側の延長線上と同一位置またはそれより外側に位置することを特徴とするステープル。
【請求項５】
請求項１において、
ステープルは、夫々コ字状に形成された内側材(8) の外周に、外側材(9) が被嵌されてなり、
外周材(9) は、その内周が内側材(8) の外周に整合すると共に、その一対の脚部(2a)(3a)が前記内周材(8) の脚部(2b)(3b)より短く形成されて、その内側材(8) の脚部(2b)(3b)の先端部が外側材(9) の脚部(2a)(3a)の先端より突出して、一対の内側突出部(12)(13)を構成し、
その一対の内側突出部(12)(13)が外側に曲折されて内側湾曲部(6b)(7b)を構成し、その先端(4) (5) が外側材(9) の外側の延長線上と同一位置またはそれより内側に位置することを特徴とするステープル。
【請求項６】
請求項１において、
ステープルは、夫々コ字状に形成された内側材(8) の外周に、外側材(9) が被嵌されてなり、
外側材(9) は、その内周が内側材(8) の外周に整合すると共に、その一対の脚部(2a)(3a)の先端部が外側に凸湾曲した外側湾曲部(6a)(7a)を有すると共に、内側材(8) の先端部が内側に凸湾曲した内側湾曲部(6b)(7b)を有することを特徴とするステープル。
【請求項７】
請求項１において、
ステープルは、夫々コ字状に形成された内側材(8) の外周に、外側材(9) が被嵌されてなり、
外側材(9) は、その内周が内側材(8) の外周に整合すると共に、その一対の脚部(2a)(3a)の先端部は直線状に形成されると共に、内側材(8) の先端部が内側に凸湾曲した内側湾曲部(6b)(7b)を有することを特徴とするステープル。
【請求項８】
請求項１において、
ステープルは、夫々コ字状に形成された内側材(8) の外周に、外側材(9) が被嵌されてなり、
外側材(9) は、その内周が内側材(8) の外周に整合すると共に、その一対の脚部(2a)(3a)の先端部が外側に凸湾曲した外側湾曲部(6a)(7a)に形成されると共に、内側材(8) の先端部が直線状に形成されたことを特徴とするステープル。
【請求項９】
請求項４〜請求項７のいずれかにおいて、
外側材(9) の一対の脚部(2a)(3a)の先端および、内側材(8) の一対の脚部(2b)(3b)の先端は、それぞれ側面視で互いに逆向きの楔形に形成されると共に、
外側材(9) と内側材(8) が互いに接する脚部(2a)(2b)，(3a)(3b)どうしの先端は、側面視で互いに逆向きの楔形に形成されたステープル。
【請求項１０】
請求項２に記載のステープルをマガジンレール(14)から打込通路(15)内に供給して、そのステープルの頂部(1) をドライバーブレード(16)で衝打し、ステープルをノーズ開口(17)より被打込材(18)に打ち込むステープル打込装置において、
前記打込通路(15)は、前記ドライバーブレード(16)の駆動によりステープルの前記先端(4) (5) が始動する位置からノーズ開口(17)の近くに至るまでの間は、そのステープルが変形しないように、前記外側湾曲部(6a)(7a)に整合する幅の拡開部(19)を有すると共に、
ノーズ開口(17)は、脚部(2) (3) の後端部の外側の延長上に位置し、そのノーズ開口(17)と前記拡開部(19)との間が滑らかな絞り部(20)で形成されたことを特徴とするステープル打込装置。
【請求項１１】
請求項３に記載のステープルをマガジンレール(14)から打込通路(15)内に供給して、そのステープルの頂部(1) をドライバーブレード(16)で衝打し、ステープルをノーズ開口(17)より被打込材(18)に打ち込むステープル打込装置において、
前記マガジンレール(14)の外周は、その横断面が請求項３のステープルの内周形状に整合することを特徴とするステープル打込装置。
【請求項１２】
水平な頂部(1) の両端に直角に折り曲げられた一対の脚部(2) (3) を有するコ字状のステープルにおいて、
前記一対の脚部(2) (3) の先端部に、互いに対称形にくの字状に曲折形成された曲折部(6c)(7c) を有し、
前記一対の曲折部(6c) (7c) の先端(4) (5) が、その脚部(2) (3) の後端部の外側面および内側面の各延長線上の間以内に位置することを特徴とするステープル。
【発明の詳細な説明】
【技術分野】
【０００１】
本発明は、主として木造家屋の木材や合板等にモルタル用ラス網やシート等を被着するステープルに関し、さらに詳しくは、そのステープルの脚部を木材の内部で湾曲させることができるもの、およびその打込装置に関する。
【背景技術】
【０００２】
一例として木造家屋のラスモルタル外壁を作るには、外壁側の木材表面に防水紙とラス網とを順に配置し、それらをステープルによって木材に止着する必要がある。ついで、そのラス網にモルタルを保持させる。その結果、モルタルはラス網とステープルを介し、木材に固定される。
一般のステープルは、水平な頂部の両端に直角に折り曲げられた一対の脚部を有するコ字状に形成され、そのコ字状の形状を保持したまま木材に打ち込まれる。この場合ステープルの止着力は、比較的弱いものとなる。
【０００３】
そこで、従来からステープルの一対の脚部を又状に交差させ、あるいはハの字状に拡開させる提案がなされている。そのように、木材内でステープルの両脚部が又状に閉脚、またはハの字状に開脚すると、木材との止着力が高まる。
一対の脚部を木材内で曲げる方法としては、ステープル打込装置のノーズ部分に脚部を曲げるための案内面を設けたものと、ステープル自体にその脚部の先端部が予め変形されたものを用いる場合とがある。
【０００４】
前者はステープル打込の際に、打込抵抗が大きくなりがちであり、打込装置が故障し易い欠点がある。後者のステープルは、一例として特開平８−２８４９２４号公報に記載（特許文献４）されている。このステープルは図１８（Ａ）に示す如く、脚部２，３の先端を先鋭化すると共に、その一対の先端部を互いに近づける方向に斜めに折り曲げ、そこに曲折部23を形成したものである。
なお、その例と反対に図１９の如く、一対の脚部２，３の先端部を外側にハの字状に折り曲げ、そこに曲折部23を形成することも考えられる。
【０００５】
【特許文献１】実用新案登録  第２５６１１６３号公報
【特許文献２】実用新案登録  第２５６７８６２号公報
【特許文献３】特開平１１−９９４８６号公報
【特許文献４】特開平８−２８４９２４号公報
【発明の開示】
【発明が解決しようとする課題】
【０００６】
後者の特開平８−２８４９２４号公報に記載されたステープルは、図１８（Ａ）に示す如く、一対の脚部２，３の先端４，５間の幅Ｌが頂部１の幅Ｔより小となる。そのためにステープルを木材に打込む最終段階において、頂部１のコーナ部1aに座屈部26が生じがちである。その理由は次の通りである。
即ち、図１８（Ｂ）の如く、ステープル打込装置のノーズ部27に、上記の従来型のステープル24を配置し、ドライバーブレード16を下降させ、ステープル24を被打込材18に打込もうとするとき、その先端４，５が被打込材18に接する打込進入位置25の間隔はＬとなり、頂部１の間隔Ｔよりも小となる。すると脚部２，３は常に、夫々の打込進入位置25から被打込材18内に進入することになる。
そして、同図（Ｃ）、（Ｄ）の如く、脚部２，３がその進入位置25から次第に内側材８内に進入すると、（Ｄ）の状態となり、その状態では頂部１の両端が異常に変形し、座屈部26が形成される。そして、ついに（Ｅ）の如く、頂部１の両端は二重に折り曲げられた座屈部26が形成される。
【０００７】
逆に、図１９の如く、脚部２，３の先端部にハの字状の曲折部23が形成されたものにおいては、被打込材18に脚部２，３の先端が接するとき、その打込進入位置25間の長さＬが頂部１の長さＴより長くなる。すると、その進入位置25から両脚部が被打込材18に進入すると、同図（Ｂ）、（Ｄ）の如く、頂部１の両端が次第に大きな鈍角となり、ついには（Ｅ）の如く頂部１の両端は平坦に押し広げられ、そこに特殊な座屈部26が形成され、結果的としてステープルの強度が低下することとなる。
そこで本発明は、係る従来のステープルの問題点を解決することを課題とする。
【課題を解決するための手段】
【０００８】
請求項１に記載の本発明は、水平な頂部(1) の両端に直角に折り曲げられた一対の脚部(2) (3) を有するコ字状のステープルにおいて、
前記一対の脚部(2) (3) の先端部に、互いに対称形に湾曲形成された湾曲部(6) (7) を有し、
前記一対の湾曲部(6) (7) の先端(4) (5) が、その脚部(2) (3) の後端部の外側面および内側面の各延長線上の間以内に位置することを特徴とするステープルである。
【０００９】
請求項２に記載の本発明は、請求項１において、
前記一対の脚(2) (3) の先端部に、それが外側に凸湾曲した外側湾曲部(6a)(7a)を有することを特徴とするステープルである。
【００１０】
請求項３に記載の本発明は、請求項１において、
前記一対の脚(2) (3) の先端部に、それが内側に凸湾曲した内側湾曲部(6b)(7b)を有することを特徴とすることを特徴とするステープルである。
【００１１】
請求項４に記載の本発明は、請求項１において、
ステープルは、夫々コ字状に形成された内側材(8) の外周に、外側材(9) が被嵌されてなり、
外側材(9) は、その内周が内側材(8) の外周に整合すると共に、その一対の脚部(2a)(3a)が前記内側材(8) の脚部(2b)(3b)より長く形成され、その先端部が内側材(8) の先端より突出して、一対の外側突出部(10)(11)を構成し、
その外側突出部(10)(11)が内側に曲折されて一対の外側湾曲部(6a)(7a)を構成し、その先端(4) (5) が内側材(8) の内側の延長線上と同一位置またはそれより外側に位置することを特徴とするステープルである。
【００１２】
請求項５に記載の本発明は、請求項１において、
ステープルは、夫々コ字状に形成された内側材(8) の外周に、外側材(9) が被嵌されてなり、
外周材(9) は、その内周が内側材(8) の外周に整合すると共に、その一対の脚部(2a)(3a)の長さが内側材(8) の脚部(2b)(3b)より短く形成されて、その内側材(8) の脚部(2b)(3b)の先端部が外側材(9) の脚部(2a)(3a)の先端より突出して、一対の内側突出部(12)(13)を構成し、
その一対の内側突出部(12)(13)が外側に曲折されて内側湾曲部(6b)(7b)を構成し、その先端(4) (5) が外側材(9) の外側の延長線上と同一位置またはそれより内側に位置することを特徴とするステープルである。
【００１３】
請求項６に記載の本発明は、請求項１において、
ステープルは、夫々コ字状に形成された内側材(8) の外周に、外側材(9) が被嵌されてなり、
外周材(9) は、その内周が内側材(8) の外周に整合すると共に、その一対の脚部(2a)(3a)の先端部が外側に凸湾曲した外側湾曲部(6a)(7a)を有すると共に、内側材(8) の先端部が内側に凸湾曲した内側湾曲部(6b)(7b)を有することを特徴とするステープルである。
【００１４】
請求項７に記載の本発明は、請求項１において、
ステープルは、夫々コ字状に形成された内側材(8) の外周に、外側材(9) が被嵌されてなり、
外周材(9) は、その内周が内側材(8) の外周に整合すると共に、その一対の脚部(2a)(3a)の先端部は直線状に形成されると共に、内側材(8) の先端部が内側に凸湾曲した内側湾曲部(6b)(7b)を有することを特徴とするステープルである。
【００１５】
請求項８に記載の発明は、請求項１において、
ステープルは、夫々コ字状に形成された内側材(8) の外周に、外側材(9) が被嵌されてなり、
外側材(9) は、その内周が内側材(8) の外周に整合すると共に、その一対の脚部(2a)(3a)の先端部が外側に凸湾曲した外側湾曲部(6a)(7a)に形成されると共に、内側材(8) の先端部が直線状に形成されたことを特徴とするステープルである。
【００１６】
請求項９に記載の本発明は、請求項４〜請求項７のいずれかにおいて、
外側材(9) の一対の脚部(2a)(3a)の先端および、内側材(8) の一対の脚部(2b)(3b)の先端は、それぞれ側面視で互いに逆向きの楔形に形成されると共に、
外側材(9) と内側材(8) が互いに接する脚部(2a)(2b)，(3a)(3b)どうしの先端は、側面視で互いに逆向きの楔形に形成されたステープルである。
【００１７】
請求項10に記載の本発明は、請求項２に記載のステープルをマガジンレール(14)から打込通路(15)内に供給して、そのステープルの頂部(1) をドライバーブレード(16)で衝打し、ステープルをノーズ開口(17)より被打込材(18)に打ち込むステープル打込装置において、
前記打込通路(15)は、前記ドライバーブレード(16)の駆動によりステープルの前記突端(4) (5) が始動する位置からノーズ開口17の近傍に至るまでの間は、そのステープルが変形しないように、前記外側湾曲部(6a)(7a)に整合する幅の拡開部(19)を有すると共に、
ノーズ開口(17)は、脚部(2) (3) の後端部の外側の延長上に位置し、そのノーズ開口(17)と前記拡開部(19)との間が滑らかな絞り部(20)で形成されたことを特徴とするステープル打込装置である。
【００１８】
請求項11に記載の本発明は、請求項３に記載のステープルをマガジンレール(14)から打込通路(15)内に供給して、そのステープルの頂部(1) をドライバーブレード(16)で衝打し、ステープルをノーズ開口(17)より被打込材(18)に打ち込むステープル打込装置において、
前記マガジンレール(14)の外周は、その横断面が請求項３のステープルの内周形状に整合することを特徴とするステープル打込装置である。
【００１９】
請求項12に記載の発明は、水平な頂部(1) の両端に直角に折り曲げられた一対の脚部(2) (3) を有するコ字状のステープルにおいて、
前記一対の脚部(2) (3) の先端部に、互いに対称形にくの字状に曲折形成された曲折部(6c)(7c) を有し、
前記一対の曲折部(6c) (7c) の先端(4) (5) が、その脚部(2) (3) の後端部の外側面および内側面の各延長線上の間以内に位置することを特徴とするステープルである。
【発明の効果】
【００２０】
本発明のステープルは、その湾曲部６，７の先端４，５が、その脚部２，３の後端部の外側面および内側面の延長線上の間以内に位置するから、ステープル24を被打込材18に打込んだとき、ステープルの頂部１のコーナ部1aに座屈が生じることがない。なぜならば、ステープル24の先端４，５が被打込材18に打込まれるとき、その一対の打込進入位置25は、脚部２，３の延長上に位置する。そのためステープル24の打込み完了時にも脚部２，３の後端が打込進入位置25に位置し、頂部１のコーナ部1aに無理な変形が起こらないからである。逆に言えば、図１８の如く脚部２，３の先端部が、その延長線上にない場合には、ステープル24の打込み完了時に、脚部２，３の後端部が一対の打込進入位置25間の幅になり、頂部１の両孔内部に座屈部26が生じ、結果として強度の弱いものとなる。
また、本発明は両脚部に対称形の湾曲部６，７が形成され、その存在によって脚部２，３を被打込材18内で円滑に湾曲させ、被打込材18への保持力（止着力）の強いステープルとなりうる。
【００２１】
上記構成において、脚部２，３の先端部に外側湾曲部6a，7aを形成した場合には、脚部２，３を頂部１の内側に抱え込むように閉脚した湾曲とすることができる。
上記構成において、脚部２，３に内側湾曲部6b，7bを形成した場合には、脚部２，３を頂部１の外側に開脚した湾曲とすることができる。
上記構成において、ステープル24を内側材８と外側材９とから構成し、外側材９の脚部2a，3aを内側材８の脚部2b，3bより長くするとともに、その長く突出した部分を内側に曲折した場合には、外側材９の脚部2a，3a、内側材８の脚部2b，3bをともに内側に閉脚する湾曲とし、より止着力の強いステープルを提供できる。
【００２２】
上記構成において、外側材９の脚部2a，3aを内側材８の脚部2b，3bより短くし、その突出する脚部2b，3bを外側に湾曲させた場合には、各脚部をともに外側に開脚する湾曲とし、被打込材18への止着力を強くすることができる。
上記構成において、外側材９の脚部2a，3aに外側湾曲部6a，7aを形成するとともに、内側材８の先端部に内側湾曲部6b，7bを形成した場合には、各脚部2a，3aと2b，3bを開脚と閉脚とに湾曲させ被打込材18の止着力をより強くすることができる。
【００２３】
上記構成において、外側材９の脚部2a，3aを直線状に形成するとともに内側材８の脚部2b，3b先端部を内側湾曲部6b，7bに形成した場合には、特に内側材８の脚部2b，3bを外側に開脚湾曲させることができる。
上記構成において、外側材９の脚部2a，3aの先端部を外側湾曲部6a，7aに形成するとともに内側材８の脚部2b，3b先端部を直線状に形成した場合には、特に外側材９の脚部2a，3aを内側に閉脚湾曲させることができる。
上記いずれかの構成において、外側材９の一対の脚部先端および内側材８の一対の脚部先端を夫々側面視で互いに逆向きの楔状に形成するとともに、外側材９と内側材８との互いに接する脚部どうしの先端は、側面視で互いに逆向きの楔状に形成した場合には、全ての脚部を互いに平面視で先端側が開くように形成でき、ステープルの木材に対する止着力をより強くしうる。
【００２４】
請求項９に記載のステープル打込装置は請求項２のステープルを用いるものにおいて、ステープルの脚部を円滑に内側により湾曲させ、被打込材18への止着効果の強いものとすることができる。
請求項１０に記載のステープル打込装置は、マガジンレール14の外周をそのステープル内周に整合するようにしたため、ステープル24を円滑にマガジンレール14に連続して案内することができる。
【００２５】
また、請求項１２に記載の本発明の他のステープルも、そのくの字状の曲折部６c，７c の先端４，５が、その脚部２，３の後端部の外側面および内側面の延長線上の間以内に位置するから、ステープル24を被打込材18に打込んだとき、ステープルの頂部１のコーナ部1aに座屈が生じることがない。
【発明を実施するための最良の形態】
【００２６】
次に、図面に基づいて本発明の各実施の形態につき説明する。
図１は本発明の第１実施例のステープル24の正面図および側面図であり、図２は同ステープル24をステープル打込装置28に内装した断面正面図およびそのＢ−Ｂ矢視断面図である。さらに、図３は同打込装置28によってステープル24を被打込材18に打込むとき、その進入状態を順に示したものである。また、図４は図３（Ｃ）のIV−IV矢視断面略図である。
【００２７】
この例のステープル24は、断面が方形の針金材を切断および曲折したものからなり、図１に示す如く水平な頂部１の両端に直角に折り曲げられた一対の脚部２，３を有するコ字状のものにおいて、その脚部２，３の先端に互いに対象形の一対の湾曲部６，７を形成する。この例では、その湾曲部６，７として外側に凸湾曲した外側湾曲部6a，7aを有する。そして、その湾曲部６，７の先端４，５が脚部２，３の後端部おける外側面および内側面の各延長線上（鎖線で示す）の間以内に位置する。そして、その先端４，５は同図（Ｂ）の如く側面図において、夫々楔状に形成され、その楔の方向が互いに逆向きに形成されている。
【００２８】
このように形成された多数のステープル24は、図２（Ｂ）のごとく互いに並列され、各接触部が適宜な接着剤（打込時に剥離可能なもの）で互いに結合され、ステープル打込装置28のマガジンレール14とマガジンケース21との間に装着される。なお、マガジンレール14の外周幅はステープルの頂部１の内周幅よりも僅かに小に形成されている。また、マガジンケース21の断面は、ステープルの外周に略整合するように形成できる。ステープル打込装置28のノーズ部27における下部内面には拡開部19が設けられ、そこからノーズ開口17に向かって絞り部20が形成されている。なお、ノーズ開口17の幅は、頂部１後端部の幅に等しい。
【００２９】
（作用）
この例のステープル24は図１（Ａ）に示す如く、それを被打込材18に打込む際、その端４，５と被打込材18との接触点である打込進入位置25は夫々脚部２，３の後端部の延長線上（鎖線）内に位置する。そして、図３（Ａ）〜（Ｃ）に示す如く、ドライバーブレード16を矢印方向に移動することによりその脚部２，３が次第に湾曲し、（Ｃ）の如く被打込材18内に埋設される。このとき、ノーズ部27の絞り部20が外側湾曲部6a，7aを互いに接近する方向に案内し、脚部２，３は結果として正面図において又状に交差するように閉脚される。
なお、平面図において、各脚部どうしは図４の如く、頂部１から逆方向に離反する。これは脚部２，３の先端４，５の切断面である楔形が逆方向に形成され、木材に進入するときその楔面に沿って案内されるからである。なお、この点はすでに公知であり、各種特許文献に記載されているので、その詳細な説明は省略する。
【００３０】
図３（Ｃ）において、打込後の脚部２，３の後端部、即ち頂部１に隣接する部分は打込進入位置25にあるから、頂部１の両端部が従来技術（図１８（Ｄ）、（Ｅ））の如く、座屈することはない。そして、ラス網22がステープルの頂部１によって被打込材18に止着される。
【００３１】
次に、図５は本発明の第２の実施の形態を示し、この例が図１のそれと異なる点は、脚部２，３の先端部形状である。即ち、それらの湾曲部６，７が内側に湾曲した内側湾曲部6b，7bを形成する。それとともに、先端４，５は（Ｂ）の側面図において、頂部１に平行に形成されるとともに、正面図においてはその断面外周がＶ字状に形成されている。
この例においても、脚部２，３の後端部の内周および外周の延長線上内に、その内側湾曲部6b，7bの先端４，５が位置する。したがって、この例のステープルも被打込材18の打込進入位置25が脚部２，３の後端部の延長線上にある。それゆえ、ステープル24を被打込材18に打込んだとき、頂部１両端部に座屈が生じることがない。
【００３２】
その打込み状態を示したのが図６（Ｃ）でありその平面状態が同図（Ｄ）である。一対の脚部２，３は湾曲したハの字状に形成される。なお、この例におけるステープル打込装置28のマガジンレール14の断面外周はステープルの内周に整合するように、図６（Ａ）（Ｂ）の如く、その下部に凹陥部14ａが形成され、内側湾曲部6b，7bを円滑に案内する。なお、それに代えてマガジンレール14の全幅を内側湾曲部6b，7bの最小幅に形成してもよい。この例では、内側湾曲部6b，7bのみの形状に基づき、図６（Ｃ）の如く脚部２，３が開脚する。そして打込装置のノーズ部に特別な案内を不要とする。
【００３３】
次に、図７は本発明の第３の実施の形態を示す正面図および側面図である。この例のステープルは、夫々コ字状に形成された内側材８と外側材９との接着体（打込の際に木材中で剥離可能な接着剤による）からなる。外側材９の内周は内側材８の外周に整合するとともに、その一対の脚部2a，3aの長さが、内側材８の脚部2b，3bより長く形成され、そこに一対の外側突出部10，11が存在する。そして、外側突出部10，11が内側に湾曲されてそこに一対の外側湾曲部6a，7aを構成し、その先端４，５がステープル24の内側材８内面の延長線（鎖線）と同一位置またはそれより僅か外側に位置する。
なお、この例でも、外側材９の先端４，５は同図（Ｂ）の如く側面において、互いに逆向きの楔状に切断形成されている。また、内側材８および外側材９の隣接する脚部2a，2b、3a，3bの先端は互いに逆の楔状に形成され、それにより互いに干渉しないように、被打込材18内に進入する。図８は、そのステープル24をステープル打込装置28に収納した状態の断面正面図および断面側面図（Ｂ−Ｂ断面矢視図）である。
【００３４】
（図９の作用）
図９はステープル打込装置28によってステープル24を打込む際、木材への進入状態を順に示したものである。この例においても、ステープルの湾曲部の先端４，５はその脚部２，３の後端部の外周と内周との延長線上内に位置するから、一対の打込進入位置25の幅がステープルの頂部１の幅に等しくなり、脚部２，３が完全に被打込材18内に埋設されても頂部１の両端に座屈が生じることがない。なお、図１０は図９（Ｃ）のX−X矢視略図である。
図９において、ステープル打込装置28のドライバーブレード16を矢印方向に移動すると、（Ａ）の如く、その先端４，５が被打込材18に接触し次いで、各脚部が（Ｂ）の如く被打込材18内に内側に曲がって進入する。すると、内側材８の脚部2b，3bの先端部が外側材９の脚部2a，3aの曲がりに案内され、それも内側に湾曲する。次いで、脚部3a，3bおよび脚部2a，2bはその先端の楔形状が逆向きに形成されているため、次第に離反し、(Ｃ)および図１０の如く被打込材18内に進入する。
【００３５】
次に、図１１は、本発明の第４の実施の形態を示す正面図および側面図である。この例は前記第３の実施の形態と逆である。即ち、この例は、内側材８の脚部2b，3bの長さが外側材９の脚部2a，3aの長さより長く形成され、そこに内側突出部12，13を有し、それらが外側に湾曲して内側湾曲部6b，7bとなり、本発明の湾曲部６，７を形成している点である。そして、その内側湾曲部6b，7bの先端４，５は脚部2aの外周の延長線（鎖線で示す）と同一位置またはそれより僅か内側に配置されている。
そして、図１２（Ａ）、(Ｂ)の如くステープル打込装置28内に挿入され、被打込材18に打込まれるときその内側突出部12，13の存在により各脚部が図１３（Ａ）〜（Ｃ）および図１４の如く次第に変形するものである。この例では、全ての脚部が外側に湾曲したハの字状に導かれる。
【００３６】
次に図１５は、本発明の第５の実施の形態を示し、この例は内側材８の脚部2b，3bが外側材９の脚部2a，3aよりも長く形成されるとともに、内側材８の脚部2b，3bの先端部には、第２の実施例と同様の内側湾曲部6b，7bが形成されたものである。この例もステープル24の各脚２，３の後端部の内周と外周との間に湾曲部６，７の先端４，５が位置する。
次に図１６は、本発明の第６の実施の形態を示す正面図および側面図である。この例は、ステープル24が内側材８と外側材９とからなり、外側材９は図１の第１実施例の形状を有するとともに、内側材８はその先端を除き、第２実施例の図５の形状を有する。この例では、各湾曲部6a，6b，7a，7bの先端が互いに逆向きの楔状に形成されている。この例においても、ステープル24の各湾曲部の先端は、その脚部２，３の後端部の外周の延長線と内周の延長線との間内に位置する。そして、被打込材18に打込まれたとき、図１７（Ａ）、（Ｂ）の如く曲折される。
【００３７】
次に、図２０は、本発明の第７の実施の形態を示す正面図および側面図であり、この例は図１５に対して、その内側材８と外側材９とが逆に形成されたものである。この例もステープル24の各脚２，３の後端部の内周と外周との間に湾曲部６，７の先端４，５が位置する。  
次に、図２１は、本発明の第８の実施の形態を示す正面図および側面図であり、この例は図５の実施例に対して、その湾曲部の代わりに、くの字状に曲折する曲折部6c，7cが形成され、その先端を図１と同様の楔形に形成したものである。この曲折部6c，7cの先端４，５も脚部２，３の後端部の内周および外周の延長線以内に位置する。なお、その先端の形状は図５と同様にすることもできる。さらには他の全ての実施例における全ての湾曲部６，７に代えて、くの字状の曲折部を採用することもできる。
【図面の簡単な説明】
【００３８】
【図１】本発明の第１の実施の形態を示す正面図および側面図。
【図２】同実施例のステープル24をステープル打込装置28に装着した状態を示す正面断面図およびＢ−Ｂ矢視断面図。
【図３】同実施例のステープル24が被打込材18に進入する状態を順に示す説明図。
【図４】図３（Ｃ）のIV−IV矢視略図。
【００３９】
【図５】本発明の第２の実施の形態を示すステープル24の正面図および側面図。
【図６】同実施例のステープル24をステープル打込装置28に収納した状態を示す正面断面図および、被打込材18内にステープル打込装置28を装着した状態を示す説明図並びにＤ−Ｄ矢視断面図。
【図７】本発明の第３の実施の形態を示す正面図および側面図。
【図８】同実施例のステープル24をステープル打込装置28に装着した正面断面図およびＢ−Ｂ矢視断面図。
【００４０】
【図９】同実施例のステープル24が被打込材18に進入する状態を順に示す説明図。
【図１０】図９（Ｃ）のX−X矢視略図。
【図１１】本発明の第４の実施の形態を示すステープル24の正面図および側面図。
【図１２】同実施例のステープル24をステープル打込装置28に装着した状態を示す正面断面図およびＢ−Ｂ矢視断面図。
【００４１】
【図１３】同実施例のステープル24が被打込材18に進入する状態を順に示す説明図。
【図１４】図１３（Ｃ）のXIV−XIV矢視略図。
【図１５】本発明の第５の実施の形態を示す正面図および側面図。
【図１６】本発明の第６の実施の形態を示す正面図および側面図。
【００４２】
【図１７】同実施例のステープル24を被打込材18に打込んだ状態を示す正面図および平面図。
【図１８】従来型ステープル24の正面図および、それが被打込材18に進入する状態を順に示す説明図。
【図１９】比較例として、他のステープル24を示す正面図および、それが被打込材18に進入する状態を順に示す説明図。
【図２０】本発明の第７の実施の形態を示す正面図および側面図。
【図２１】本発明の第８の実施の形態を示す正面図および側面図。
【符号の説明】
【００４３】
１  頂部
1a  コーナ部
２，３  脚部
2a，3a  脚部
2b，3b  脚部
４，５  先端
【００４４】
６，７  湾曲部
6a，7a  外側湾曲部
6b，7b  内側湾曲部
6c，7c  曲折部
８  内側材
９  外側材
【００４５】
10，11  外側突出部
12，13  内側突出部
14  マガジンレール
14a   凹陥部
15  打込通路
16  ドライバーブレード
【００４６】
17  ノーズ開口
18  被打込材
19  拡開部
20  絞り部
21  マガジンケース
【００４７】
22  ラス網
23  曲折部
24  ステープル
25  打込進入位置
26  座屈部
【００４８】
27  ノーズ部
27a   平坦面
27c   先端縁
28  ステープル打込装置
【図１】
2007064420.tif 000003
【図２】
2007064420.tif 000004
【図３】
2007064420.tif 000005
【図４】
2007064420.tif 000006
【図５】
2007064420.tif 000007
【図６】
2007064420.tif 000008
【図７】
2007064420.tif 000009
【図８】
2007064420.tif 000010
【図９】
2007064420.tif 000011
【図１０】
2007064420.tif 000012
【図１１】
2007064420.tif 000013
【図１２】
2007064420.tif 000014
【図１３】
2007064420.tif 000015
【図１４】
2007064420.tif 000016
【図１５】
2007064420.tif 000017
【図１６】
2007064420.tif 000018
【図１７】
2007064420.tif 000019
【図１８】
2007064420.tif 000020
【図１９】
2007064420.tif 000021
【図２０】
2007064420.tif 000022
【図２１】
2007064420.tif 000023